(57)【要約】【課題】寒冷地に設置される給気装置において、現場の施工状態あるいは室内環境によって結露対策が左右されず、さらに、給気装置本体の厚みを増すことのない結露対策を提供することを目的とする。【解決手段】壁部１に設置され室外の空気を室内に給気する給気装置に設けられて、この給気装置から発生する結露水を受けて溜める結露水受け容器１４を備えた結露水受け部材１５において、結露水受け容器１４は給気装置の室内側下部に付加装着可能に装着される固定用部材１１に着脱自在に設けられる構成とすることにより、施工状態あるいは室内環境に左右されずに、さらに、換気装置９の厚みを増すことなく、結露対策ができることとなる。【選択図】図１
2005299996.tif 000002
【特許請求の範囲】
【請求項１】
壁部等に設置され室外の空気を室内に給気する給気装置に設けられて、この給気装置から発生する結露水を受けて溜める結露水受け容器を備えた結露水受け部材であって、前記結露水受け容器は前記給気装置の室内側下部に付加装着可能に装着される固定用部材に、着脱自在に設けられることを特徴とする結露水受け部材。
【請求項２】
給気装置と壁部等の室内側壁面との間に上部側を位置させるとともに、下部側を平面視で結露水受け容器の範囲内に位置させ、給気装置の背面から伝う結露水を案内する結露水ガイドシートを設けた請求項１記載の結露水受け部材。
【請求項３】
固定用部材にスリットを形成し、結露水ガイドシートを前記スリットに通してその下端部が平面視で結露水受け容器の範囲内に位置するようにした請求項２記載の結露水受け部材。
【請求項４】
平面視で、結露水受け容器を給気装置に対し略相似的に室内側に２〜５ｍｍオフセットして大きく形成した請求項１〜３のいずれかに記載の結露水受け部材。
【請求項５】
給気装置の下端部と結露水受け容器の上端部との間に５〜１０ｍｍの離隔距離を設ける請求項１〜４のいずれかに記載の結露水受け部材。
【請求項６】
結露水受け容器は、少なくとも結露水の量が確認できる箇所を半透明または透明とした請求項１〜５のいずれかに記載の結露水受け部材。
【請求項７】
寒冷地の冬期夜に想定される１２時間の結露水量を満水量として結露水受け容器に表示した請求項６記載の結露水受け部材。
【請求項８】
結露水受け容器の容量を、寒冷地の冬期夜に想定される１２時間の結露水が、約１５°傾けてもこぼれない容量に対し、安全率１．２から２を掛けた容量とした請求項１〜７のいずれかに記載の結露水受け部材。
【請求項９】
給気装置の下部に固定用部材の取付用ねじボスを設けるとともに、この取付用ねじボスの下方に位置する給気装置本体の側壁に薄肉部を設け、前記固定用部材の付加装着時に前記薄肉部を取り去り、この取り去った箇所を通して前記固定用部材を装着する構成とした請求項１〜８のいずれかに記載の結露水受け部材。
【請求項１０】
結露水受け容器を抗菌剤を混入した樹脂材料にて形成した請求項１〜９のいずれかに記載の結露水受け部材。
【請求項１１】
多孔質材料あるいは繊維よりなる吸い上げ芯を結露水受け容器内に備えた請求項１〜１０記載の結露水受け部材。
【請求項１２】
吸い上げ芯としてプリーツ状に形成した不織布を用いた請求項１１記載の結露水受け部材。
【請求項１３】
吸い上げ芯として棒状あるいは板状のフェルトを結露水受け容器内に設けた支持ボスに挟み、立てたことを特徴とする請求項１１記載の結露水受け部材。
【発明の詳細な説明】
【技術分野】
【０００１】
本発明は、寒冷地や準寒冷地における給気装置の結露対策に使用される部材に関する。
【背景技術】
【０００２】
従来、この種の結露対策部材は、給気装置の結露が発生する箇所の結露耐力を高めたものが知られている（例えば、特許文献１参照）。
【０００３】
すなわち、結露耐力を高める手段として、断熱材を備え、給気を目的とした換気装置本体の室内側に装着された化粧カバーの吹出し口を除く部分を覆うキャップ構造とした室内カバーを設けていた。
【特許文献１】特開２００３−２８４７４号公報（第４頁、第４図）
【発明の開示】
【発明が解決しようとする課題】
【０００４】
このような従来の結露対策部材では、現場の施工状態における、建物全体の給排気のバランスが崩れ、室内が負圧になる環境では給気風量が増し、結露耐力の限界を超えて結露が発生し、また、給気装置本体と壁面の隙間の状態によっては、給気装置本体内で結露が発生し、また、寒冷地では、断熱材が十分に貼り付けされていても、室内に洗濯物を干すなど室内湿度の高い室内環境では、結露耐力の限界を超えて結露してしまうという課題があった。さらに、室内側の化粧カバーにキャップ構造の室内カバーを設けると、給気装置本体の厚みが増してインテリア性を低下させるという課題があった。
【０００５】
本発明は、このような従来の課題を解決するものであり、現場の施工状態によって結露対策が左右されず、また、室内環境によって結露対策が左右されず、さらに、温暖地と寒冷地で給気装置を変更することなく共通に使用することができ、給気装置本体の厚みを増すことなく結露対策ができる結露対策部材を提供することを目的としている。
【０００６】
また、給気装置は結露がおこる可能性があるということを生活者に意識させないため、結露が発生しても壁クロス等の汚れの被害が大きくなるまで結露の発生に気がつかないという課題があった。
【０００７】
本発明はこのような従来の課題を解決するものであり、生活者に結露の発生を明示できる結露対策部材を提供することを目的としている。
【課題を解決するための手段】
【０００８】
本発明の結露水受け部材は上記目的を達成するために、結露水受け容器が給気装置の室内側下部に付加装着可能に装着される固定用部材に、着脱自在に設けられる構成としたものである。
【０００９】
この手段により、建物全体の給排気バランスによる給気風量の増加、給気装置本体と壁面の隙間等、現場の施工状態が結露対策を左右する構成要素をなくすことができ、また、室内環境によって給気装置に結露が発生しても、給気装置の下部に付加装着した結露水受け容器で確実に受けることができ、さらに、特別な結露対策を施していない給気装置をそのまま使用して、給気装置の厚みを増すことなく結露対策できる結露水受け部材が得られる。
【００１０】
また、本発明の結露水受け部材は、結露水受け容器が、少なくとも結露水の量が確認できる箇所を半透明または透明としたものである。
【００１１】
この手段により、生活者に給気装置が結露していることを意識させ、結露水による壁クロスの汚れを未然に防ぐことができる結露水受け部材が得られる。
【発明の効果】
【００１２】
本発明によれば現場の施工状態によって結露対策が左右されず、また、室内環境によって結露対策が左右されず、さらに、温暖地と寒冷地で給気装置を変更することなく共通に使用することができ、給気装置本体の厚みを増すことなく結露対策ができる結露水受け部材を提供できる。
【００１３】
また、本発明によれば、生活者に給気装置が結露していることを意識させ、結露水による壁クロス等の汚れを未然に防ぐことができる結露水受け部材を提供できる。
【発明を実施するための最良の形態】
【００１４】
本発明の請求項１記載の発明は、結露水受け容器は前記給気装置の室内側下部に付加装着可能に装着される固定用部材に、着脱自在に設けられることを特徴としたものであり、給排気バランスが崩れるなどといった現場の施工状態によって結露対策が左右されず、洗濯物を干すなどの室内環境によって結露対策が左右されず、さらに、温暖地と寒冷地で給気装置を変更することなく共通に使用することができ、給気装置本体の厚みを増すことなく結露対策ができるという作用を有する。
【００１５】
また、本発明の請求項２記載の発明は、給気装置と壁部等の室内側壁面との間に上部側を位置させるとともに、下部側を平面視で結露水受け容器の範囲内に位置させ、給気装置の背面から伝う結露水を案内する結露水ガイドシートを設けたものであり、給気装置の背面側で発生した結露水は結露ガイドシートを伝わり結露水受け容器内に溜まる。この構成により、給気装置と壁部等との間に隙間が発生するなどの現場の施工状態によって結露対策が左右されず結露対策ができるという作用を有する。
【００１６】
また、本発明の請求項３記載の発明は、固定用部材にスリットを形成し、結露水ガイドシートを前記スリットに通してその下端部が平面視で結露水受け容器の範囲内に位置するようにしたものであり、生活者が結露水を廃棄するために結露水受け容器を着脱する際に誤って結露ガイドシート先端を結露水受け容器外に位置させ、結露水が壁クロス等を汚すことを未然に防ぐという作用を有する。
【００１７】
また、本発明の請求項４記載の発明は、平面視で、結露水受け容器を給気装置に対し略相似的に室内側に２〜５ｍｍオフセットして大きく形成したものであり、室内インテリア性を損なわずに、確実に下方に滴下する結露水を結露水受け容器で受けることができるという作用を有する。
【００１８】
また、本発明の請求項５記載の発明は、給気装置の下端部と結露水受け容器の上端部との間に５〜１０ｍｍの離隔距離を設けたものであり、結露水受け容器内と室温の差を小さくし、結露水受け容器表面での結露の発生を抑制できるという作用を有する。
【００１９】
また、本発明の請求項６記載の発明は、結露水受け容器は、少なくとも結露水の量が確認できる箇所を半透明または透明としたものであり、生活者に給気装置が結露していることを意識させ、結露水による壁クロスの汚れを未然に防ぐことができるという作用を有する。
【００２０】
また、本発明の請求項７記載の発明は、寒冷地の冬期夜に想定される１２時間の結露水量を満水量として結露水受け容器に表示したものであり、生活者に結露水の廃棄時期を知らせるという作用を有する。
【００２１】
また、本発明の請求項８記載の発明は、結露水受け容器の容量を、寒冷地の冬期夜に想定される１２時間の結露水が、約１５°傾けてもこぼれない容量に対し、安全率１．２から２を掛けた容量としたものであり、生活者が結露水受け容器を着脱する際に、結露水受け容器を傾けることができる限度と、無意識に有する角度として想定される約１５°まで傾けても結露水が室内にこぼれないという作用を有する。
【００２２】
また、本発明の請求項９記載の発明は、給気装置の下部に固定用部材の取付用ねじボスを設けるとともに、この取付用ねじボスの下方に位置する給気装置本体と化粧カバーの側壁に薄肉部を設け、前記固定用部材の付加装着時に前記薄肉部を取り去り、この取り去った箇所を通して前記固定用部材を装着する構成としたものであり、温暖地と寒冷地で使用する給気装置を共用でき、生活者の使用環境により結露が発生する場合に、付加装着を容易にできるという作用を有する。
【００２３】
また、本発明の請求項１０記載の発明は、結露水受け容器を抗菌剤を混入した樹脂材料にて形成したものであり、結露水受け容器を清潔に保つことができるという作用を有する。
【００２４】
また、本発明の請求項１１記載の発明は、多孔質材料あるいは繊維によりなる吸い上げ芯を結露水受け容器内に備えたものであり、溜まった結露水の蒸発を促すことができ、結露水の廃棄頻度を低減できるという作用を有する。
【００２５】
また、本発明の請求項１２記載の発明は、吸い上げ芯としてプリーツ状に形成した不織布を用いたものであり、吸い上げ芯の表面積を大きくすることにより結露水の蒸発速度を加速させるという作用を有する。
【００２６】
また、本発明の請求項１３記載の発明は、吸い上げ芯として棒状あるいは板状のフェルトを結露水受け容器内に設けた支持ボスに挟み、立てたものであり、結露水受け容器洗浄時に吸い上げ芯が破損しにくく、再使用できるという作用を有する。
【００２７】
以下、本発明の実施の形態について図面を参照しながら説明する。
【００２８】
（実施の形態１）
図１〜図４に示すように、室内と室外を連通するように壁部１を貫通して設けられる換気用パイプ２に装着される筒状部３および、通風路を形成する開口部４を有し、内部にファンモーター５を設けたフレーム６と、フレーム６の開口部４に連通する吹出し口７が形成され、フレーム６の外周に嵌合される形状で着脱自在に設けられる化粧カバー８からなる給気装置としての換気装置９に対し、このフレーム６背面の下部に設けられた取付用ねじボス１０にねじ（図示せず）により付加装着された固定用部材１１と、固定用部材１１と共締めされた結露ガイドシート１２を備え、固定用部材１１に係合用部品１３により着脱自在に設けられる結露水受け容器１４とからなる結露水受け部材１５が、フレーム６と化粧カバー８のねじボス１０下方に設けられた薄肉部１６を取り去り、この取り去った箇所を通して固定用部材１１を装着することにより換気装置９と壁面の間に隙間を発生することなく、換気装置９と略一体的に設置されるように構成される。結露ガイドシート１２は換気装置９と壁部１の室内側壁面との間に上部側を位置させるとともに、下端部を固定用部材１１に設けたスリット１７に通し、平面視で結露水受け容器１４の範囲内に位置するように構成される。抗菌剤を混入した半透明の樹脂好ましくはポリプロピレン樹脂からなる結露水受け容器１４は、化粧カバー８に対し略相似形に室内側に２〜５ｍｍオフセットして大きく形成され、化粧カバー８の下端部との間に５〜１０ｍｍの離隔距離を設け、満水量表示１８が刻印される。満水量表示１８は寒冷地の冬期夜に想定される１２時間の結露水量、好ましくは室内２５℃７５％RH，室外―１０℃にて１２時間換気装置９を連続運転したときの結露水量を満水量とするよう表示される。結露水受け容器１４の容量は前記満水量が、約１５°傾けてもこぼれない容量に対し、安全率１．２〜２、好ましくは２を掛けた容量に形成される。
【００２９】
上記構成において、結露水受け部材１５を給気装置の下部に付加装着することにより、化粧カバー８表面に発生した結露水は水滴が一定の大きさを超えると滴下をはじめ、結露水受け容器１４内に溜まる。この構成により、建物全体の給排気のバランスが崩れ、室内が負圧になる環境では給気風量が増すなどの施工状態の違いによって結露対策が左右されず、室内に洗濯物を干す等、室内湿度が高くなるなどの室内環境の変化によって結露対策が左右されず、さらに、温暖地と寒冷地で給気装置を変更することなく共通に使用することができ、給気装置本体の厚みを増すことなく結露対策ができる。
【００３０】
また、結露ガイドシート１２を換気装置９と壁部１の室内側壁面との間に上部側を位置させるとともに、下端部を平面視で結露水受け容器１４の範囲内に位置する構成とすることにより、換気装置９の背面側で発生した結露水は結露ガイドシート１２を伝わり結露水受け容器１４内に溜まる。この構成により、換気装置本体と壁面の間に隙間が発生するなどの施工状態のバラツキによって結露対策が左右されず結露対策ができる。
【００３１】
また、結露ガイドシート１２をスリット１７に通すことにより、生活者が結露水を廃棄するために結露水受け容器を着脱する際に誤って結露ガイドシート１２先端を結露水受け容器１４外に位置させ、結露水が壁クロス等を汚すことを未然に防ぐことができる。
【００３２】
また、結露水受け容器１４を化粧カバー８に対し略相似形に室内側に２〜５ｍｍオフセットして大きく形成する。２ｍｍ以上のオフセットにより滴下する水滴を取りこぼすことなく、５ｍｍ以下のオフセットにより室内インテリア性を損なわずに、確実に下方に滴下する結露水を結露水受け容器１４で受けることができる。
【００３３】
また、結露水受け容器１４を化粧カバー８の下端部との間に５〜１０ｍｍの離隔距離を設ける。実験結果より、結露水受け容器１４表面に再度結露が発生する場合があるため、５ｍｍ以上の離隔距離を設けることにより、結露水受け容器１４内と室温の差を小さくし、結露水受け容器１４表面での結露の発生を抑制することができ、１０ｍｍ以下の離隔距離として、インテリア性を損なわないように略一体形の外観となるよう構成することが好ましい。
【００３４】
また、結露水受け容器１４を半透明のポリプロピレン樹脂で形成することにより、生活者に給気装置が結露していることを意識させ、結露水による壁クロスの汚れを未然に防ぐことができる。
【００３５】
また、結露水受け容器１４に、寒冷地の冬期夜に想定される１２時間の結露水量を満水量表示１８として刻印することにより、生活者に結露水の廃棄時期を知らせることができる。
【００３６】
また、結露水受け容器１４の容量を前記満水量が、約１５°傾けてもこぼれない容量に対し、安全率を掛けた容量に形成することにより、生活者が結露水受け容器１４を着脱する際に、結露水受け容器１４を傾けることができる限度と、無意識に有する角度として想定される約１５°まで傾けても結露水が室内にこぼれることのない結露水受け部材１５を提供できる。安全率は、結露水の廃棄間隔が冬期夜の１２時間を２時間程度超える場合を考慮した安全率１．２から、２晩分の結露水量に対応できる安全率２の範囲で設定するのが好ましい。
【００３７】
また、フレーム６と化粧カバー８のねじボス１０下方に設けられた薄肉部１６を取り去り、この取り去った箇所を通して結露受け部材１５を設置することにより、温暖地では、薄肉部１６を残して給気装置を設置し、結露の発生する寒冷地では、薄肉部１６を取り去り、結露受け部材１５を給気装置を設置することにより、結露が発生する環境で使用する場合に付加装着を容易にできる。
【００３８】
また、結露水受け容器１４を抗菌剤を混入した樹脂材料にて形成することにより、冬期に、結露水が常に溜まった状態になる結露水受け容器１４を清潔に保つことができる。
【００３９】
なお、実施の形態１では結露水受け容器１４の全体を半透明の樹脂で形成したが、半透明の樹脂に替えて透明の樹脂を用いてもよく、また少なくとも結露水の量が確認できる箇所のみを半透明あるいは透明に形成してもよく、その作用効果に差異は無い。
【００４０】
（実施の形態２）
図５に示すように、プリーツ状に形成した不織布からなる吸い上げ芯１９ａが結露水受け容器１４ａ内のリブ２０により支持されるように構成される。
【００４１】
上記構成において、吸い上げ芯１９ａは結露水受け容器１４ａに溜まった結露水を毛細管現象により吸い上げ、溜まった結露水の蒸発を促すことができ、結露水の廃棄頻度を低減できる。
【００４２】
また吸い上げ芯１９aをプリーツ状に形成した不織布を用いることにより、吸い上げ芯の表面積を大きくし、結露水の蒸発速度を加速させることができる。
【００４３】
（実施の形態３）
図６に示すように、棒状あるいは板状に形成したフェルトからなる吸い上げ芯１９ｂが結露水受け容器１４ｂ内の支持ボス２１により支持されるように構成される。吸い上げ芯１９ｂは適度の離隔距離好ましくは１５ｍｍ以上を取り複数本設置されるように構成される。
【００４４】
上記構成において、吸い上げ芯として棒状あるいは板状のフェルトを結露水受け容器内に設けた支持ボスに挟み、立てることにより、結露水受け容器１４ｂ洗浄時に、吸い上げ芯１９ｂを破損しにくく、再使用することができる。
【産業上の利用可能性】
【００４５】
本発明にかかる結露水受け部材は、給気装置としての給気換気装置，給気口，同時給排換気装置，熱交換型換気装置等の寒冷地で結露の発生する可能性のある機器において、温暖地使用時の機器をそのまま使用できる結露対策として有用である。
【図面の簡単な説明】
【００４６】
【図１】本発明の実施の形態１の結露水受け部材を付加装着した換気装置を示す断面図
【図２】同部分断面図
【図３】同換気装置から取り外した結露水受け部材の分解斜視図
【図４】本発明の実施の形態１の換気装置を示す背面斜視図
【図５】本発明の実施の形態２の結露水受け容器を示す斜視図
【図６】本発明の実施の形態３の結露水受け容器を示す斜視図
【符号の説明】
【００４７】
９  換気装置
１０  取付用ねじボス
１１  固定用部材
１２  結露ガイドシート
１４  結露水受け容器
１４ａ  結露水受け容器
１４ｂ  結露水受け容器
１５  結露水受け部材
１６  薄肉部
１７  スリット
１８  満水量表示
１９ａ  吸い上げ芯
１９ｂ  吸い上げ芯
２１  支持ボス
【図１】
2005299996.tif 000003
【図２】
2005299996.tif 000004
【図３】
2005299996.tif 000005
【図４】
2005299996.tif 000006
【図５】
2005299996.tif 000007
【図６】
2005299996.tif 000008